(57)【要約】【課題】タイルや人が地面に落下することを防止できる床構造体を提供すること。【解決手段】床構造体１は、地面に配設された基台２と、基台２に立設された複数の束柱３と、複数の束柱３に架設された複数の大引４と、複数の大引４に架設された複数の根太５と、根太５の上に敷設された複数のタイル８１と、タイル８１の下に敷設された脱落防止パネル７と、を備える。床構造体１の施工方法は、地面に基台２を配設する工程と、基台２に複数の束柱３を立設する工程と、複数の束柱３に複数の大引４を架設する工程と、複数の大引４に複数の根太５を架設する工程と、根太５に脱落防止パネル７を固定する工程と、根太５の上にタイル８１を敷設する工程と、を備える。【選択図】図４
2018112031.tif 000002
【特許請求の範囲】
【請求項１】
地面に配設された基台と、
前記基台に立設された複数の柱と、
前記複数の柱に架設された複数の大引と、
前記複数の大引に架設された複数の根太と、
前記根太の上に敷設された複数のタイルと、
前記タイルの下に敷設された脱落防止材と、
を備える床構造体。
【請求項２】
前記根太は、その上端側に形成され前記脱落防止材の縁部が挿入される凹状の飲み込部を有し、
前記脱落防止材は、前記飲み込部に挿入されて固定される、請求項１に記載の床構造体。
【請求項３】
前記根太同士の間に配置され、前記複数の大引に架設された複数の補助根太を更に備え、
前記脱落防止材は、前記補助根太により上方に押圧された状態で、前記根太にねじ止めされて固定される、請求項１又は２に記載の床構造体。
【請求項４】
前記脱落防止材は、脱落防止パネルで構成されるとともに、前記タイルごとに敷設される、請求項１から３のいずれかに記載の床構造体。
【請求項５】
地面に基台を配設する工程と、
前記基台に複数の柱を立設する工程と、
前記複数の柱に複数の大引を架設する工程と、
前記複数の大引に複数の根太を架設する工程と、
前記根太に脱落防止材を固定する工程と、
前記根太の上にタイルを敷設する工程と、
を備える床構造体の施工方法。
【発明の詳細な説明】
【技術分野】
【０００１】
本発明は、タイルを備えた床構造体及び床構造体の施工方法に関する。
【背景技術】
【０００２】
従来、地面にコンクリート等を用いて土台を立設し、土台にモルタルを塗り、タイルを貼り付けて施工されたいわゆる湿式工法のテラスがある。タイルは、意匠面や強度面等に利点があるが、湿式工法のテラスは、施工作業が煩雑となる場合がある。
【０００３】
一方で、地面より高い位置に床面が設けられたいわゆる乾式工法で施工されたデッキが知られている。例えば、デッキ材を地面より高い位置に敷設して床板を構成したデッキが提案されている（特許文献１参照）。特許文献１のデッキ材は、木粉を混入した樹脂の押出成形材である。
【０００４】
特許文献１のデッキ材としてタイルを用いることで、タイルの利点を生かしつつ作業性良くデッキを施工することができると考えられる。
【先行技術文献】
【特許文献】
【０００５】
【特許文献１】特開２０１３−７２１９５号公報
【発明の概要】
【発明が解決しようとする課題】
【０００６】
しかし、タイルは高強度ではあるものの、外的要因により割れることがある。そのため、タイルを地面より高い位置に敷設した場合、割れたタイルや、デッキを使用する人が地面に落下する場合がある。
【０００７】
本発明は、タイルや人が地面に落下することを防止できる床構造体を提供することを目的とする。
【課題を解決するための手段】
【０００８】
本発明は、地面に配設された基台と、前記基台に立設された複数の柱と、前記複数の柱に架設された複数の大引と、前記複数の大引に架設された複数の根太と、前記根太の上に敷設された複数のタイルと、前記タイルの下に敷設された脱落防止材と、を備える床構造体に関する。
【０００９】
また、前記根太は、その上端側に形成され前記脱落防止材の縁部が挿入される凹状の飲み込部を有し、前記脱落防止材は、前記飲み込部に挿入されて固定されることが好ましい。
【００１０】
また、前記根太同士の間に配置され、前記複数の大引に架設された複数の補助根太を更に備え、前記脱落防止材は、前記補助根太により上方に押圧された状態で、前記根太にねじ止めされて固定されることが好ましい。
【００１１】
また、前記脱落防止材は、脱落防止パネルで構成されるとともに、前記タイルごとに敷設されることが好ましい。
【００１２】
また、地面に基台を配設する工程と、前記基台に複数の柱を立設する工程と、前記複数の柱に複数の大引を架設する工程と、前記複数の大引に複数の根太を架設する工程と、前記根太に脱落防止材を固定する工程と、前記根太の上にタイルを敷設する工程と、を備える床構造体の施工方法に関する。
【発明の効果】
【００１３】
本発明によれば、タイルや人が地面に落下することを防止できる床構造体を提供することができる。
【図面の簡単な説明】
【００１４】
【図１】本実施形態に係る床構造体を示す斜視図である。
【図２】図１のＩ−Ｉ線断面図である。
【図３】図１のＩＩ−ＩＩ線断面図である。
【図４】図３の脱落防止パネル付近を示す拡大図である。
【図５】本実施形態に係る床構造体の施工方法の一例を示すフローチャートである。
【発明を実施するための形態】
【００１５】
本発明の一実施形態に係る床構造体について説明する。図１は、本実施形態に係る床構造体を示す斜視図である。図２は、図１のＩ−Ｉ線断面図である。図３は、図１のＩＩ−ＩＩ線断面図である。
【００１６】
本発明の一実施形態に係る床構造体１は、建物１００の近傍（例えば、庭）に乾式工法で施工された、タイル８１で床面が形成されたデッキである。図１に示すように、床構造体１は、一辺が建物１００の壁面と接する矩形形状に形成される。床構造体１の縁部分には、段部８０が形成される。図１〜３に示すように、床構造体１は、基台２と、柱としての束柱３と、大引４と、根太５と、補助根太６と、脱落防止材としての脱落防止パネル７と、床部８と、幕板部９とを備える。束柱３、大引４、根太５、補助根太６、及び幕板部９は、いずれもアルミニウム形材からなる。
【００１７】
基台２は、地面に配設されている。本実施形態においては、図２〜図３に示すように、基台２は、地面に複数配置され、埋設又は固定されて配設されている。基台２は、例えば２枚分のタイル幅（後述）に合わせて束柱３のピッチ幅が１１０ｃｍ〜１３０ｃｍとなるように位置決めされる。
【００１８】
複数の束柱３は、基台２に立設されている。本実施形態においては、１つの基台２に対して１つの束柱３が立設されている。束柱３の側面の段部８０付近には、根太受け３１や（図２を参照）、段部８０用の大引４の固定金具等が取り付けられている（図３を参照）。
【００１９】
複数の大引４は、複数の束柱３に架設されている。本実施形態においては、大引４は、中空を有する略角柱形状の長尺部材である。大引４は、建物１００の壁面に対して長手方向を垂直に向けて、例えば２枚分のタイル幅（後述）に合わせて１１０ｃｍ〜１３０ｃｍのピッチ幅で、複数の束柱３に架設される。大引４の上部は束柱３の幅と略等しい幅を有し、下部は両側面から水平方向に突出する一対の突出部４１、４１が形成されている。大引４には、下面から鉛直方向に突出する一対の係止部４２、４２が束柱３の寸法に合わせて離間して形成されている。
突出部４１の上面には、複数の根太５及び複数の補助根太６が架設されている。大引４の側面及び突出部４１の上面には、後述する幕板受け材９２がねじ止めされている。
【００２０】
複数の根太５は、複数の大引４に架設される。本実施形態においては、根太５は、中空を有する略角柱形状の長尺部材である。根太５は、建物１００の壁面に対して長手方向を平行に向けて、例えば１枚分のタイル幅（後述）に合わせて５５ｃｍ〜６５ｃｍのピッチ幅で、複数の大引４に架設される。根太５の下部には大引４との固定部５１が形成される。
また、根太５の上面には、頂部５２が形成され、根太５の上端側には、凹状の飲み込部５３が形成される。本実施形態においては、頂部５２と飲み込部５３とは互いに段状に形成される。後述するように、頂部５２は、タイル８１等の床部８と接する。また、飲み込部５３は、脱落防止パネル７の縁部が挿入される。また、飲み込部５３には、脱落防止パネル７が挿入され、ねじ止めされて固定される。そして、頂部５２と、飲み込部５３とによる段の高さは、脱落防止パネル７の厚さ方向の高さと、脱落防止パネル７を飲み込部５３に固定するねじ頭の高さとを合わせた高さよりも高くなるように形成されている。
根太５の下部には、幕板本体９１との係止部５４が形成されていて、根太５の側面には、後述する幕板受け材９２がねじ止めされている。
【００２１】
複数の補助根太６は、根太５同士の間に配置され、複数の大引４に架設される。本実施形態においては、補助根太６は、中空を有する略角柱形状の長尺部材である。補助根太６は、建物１００の壁面に対して長手方向を平行に向けて、例えば１枚分のタイル幅（後述）に合わせて５５ｃｍ〜６５ｃｍのピッチ幅で、複数の大引４に架設される。根太５の下部には大引４との固定部６１が形成される。
また、補助根太６の上面には、頂部６２が形成される。後述するように、補助根太６は、頂部６２が根太５の頂部５２の高さよりも、脱落防止パネル７の厚さだけ低い位置に配置されるように大引４に架設されている。そして、補助根太６は、脱落防止パネル７を押し上げるように支える。
なお、根太５の長手方向の一端部と、補助根太６の長手方向の一端部とは、根太受け３１にねじ止めされてもよい（図２を参照）。
【００２２】
脱落防止パネル７は、タイル８１の下に敷設され、タイル８１が割れた場合に、タイルや人が地面に落下することを防止する部材（例えば、パネル型のポリカーボネイト樹脂）である。脱落防止パネル７の詳細は、後述する。
【００２３】
床部８は、タイル８１と、目地８２とを備える。本実施形態においては、床部８を構成するタイル８１は、タイル幅が５５ｃｍ〜６５ｃｍ角で、厚さが１５ｃｍ〜２５ｃｍの正方形（直方体）のタイルである。床部８のうち段部８０を構成するタイル８１は、段部の形状に合わせて加工（例えば切断）される。目地８２は、厚さが４．６ｍｍ〜５．０ｍｍの長手方向に延びる矩形形状の部材である。目地８２は、長手方向がタイル８１の縁部に沿うように、タイル８１同士の間の位置に配置される。
【００２４】
タイル８１は、根太５の上に敷設される。本実施形態においては、タイル８１は、四辺の縁部が大引４の上面及び根太５の頂部５２によって支持されるように、大引４及び根太５の上に敷設される。ここで、タイル８１の中央部は、脱落防止パネル７を介して補助根太６によって支持される。
【００２５】
幕板部９は、床部８の外縁を覆うように配設される。幕板部９は、幕板本体９１と幕板受け材９２と蓋９３とを備える。幕板本体９１は、長尺な平板状部材である。幕板本体９１は、側壁９１１と、溝部９１２と、タイル収容部９１３と、照明収容溝９１４と、位置決めガイド９１６とを備える。
【００２６】
側壁９１１は鉛直方向に延びるように、平板状に形成されている。溝部９１２は、側壁９１１の高さ方向の中央部が裏面側に向かって突出するように形成されている。また、溝部９１２は、幕板受け材９２の幕板本体固定部９２２と当接する。タイル収容部９１３は、側壁９１１の上端部から水平方向に延びるように形成されている。照明収容溝９１４は、側壁９１１の下部に設けられた溝であり、束柱３に向けて開口し、長手方向に延設して形成されている。照明収容溝９１４は、ＬＥＤ等の小型照明を配設可能に構成されている。位置決めガイド９１６は、タイル収容部９１３の下面に、下方に延びるように形成されている。位置決めガイド９１６は、タイル８１の側面と接する。位置決めガイド９１６は、幕板部９が床部８の設計上の端部位置よりも少し外側に位置するように幕板部９と床部８とを位置決めする。
【００２７】
幕板受け材９２は、大引４と幕板本体９１との間に配設される部材である。幕板受け材９２は、架台側固定部９２１と、幕板本体固定部９２２と、タイル載置部９２３と、係止壁９２４と、を有する。
【００２８】
架台側固定部９２１は鉛直方向に延びる壁である。架台側固定部９２１は、大引４の側面と当接している。
【００２９】
幕板本体固定部９２２は、長手方向に直交する断面が矩形（Ｕ字型）であり、架台側固定部９２１の下端から幕板本体９１側に水平方向に突出して形成されている。幕板本体固定部９２２の鉛直方向に延びる壁部の下端は、突出部４１の上面と接するように、幕板本体固定部９２２の下面よりも下方に突出している。この下端は、大引用位置決め部（高さ位置決め部）として機能する。幕板本体固定部９２２の壁部には、幕板本体９１を取り付けることができる。
【００３０】
タイル載置部９２３は、架台側固定部９２１の上端から幕板本体９１側に水平方向に延び、タイル載置部９２３の端部は、幕板本体９１と接するように水平方向に突出している。係止壁９２４は、タイル載置部９２３の端部の近傍から鉛直方向上側に延びる。架台側固定部９２１に対する係止壁９２４の水平方向の突出量は、幕板本体固定部９２２よりも大きい。タイル載置部９２３の上面から幕板本体固定部９２２の鉛直方向に延びる壁部の下端までの長さ（高さ）は、大引４の上面から突出部４１の上面までの長さ（高さ）と等しい。また、タイル載置部９２３の上面から幕板本体固定部９２２の下面までの長さは、根太５の上面から係止部５４までの長さと等しい。そのため、幕板本体固定部９２２の下面は、根太用位置決め部（高さ位置決め部）として機能する。
【００３１】
蓋９３は、幕板本体９１の溝部９１２を覆う部材である。蓋９３は、幕板本体９１の溝部９１２と係合するように構成されている。
【００３２】
根太５は、大引４の突出部４１に載置され固定部５１で固定されるので、大引４の上面から突出部４１上面までの長さに比べて、根太５の頂部５２から固定部５１及び係止部５４までの長さは、固定部５１及び係止部５４の厚さ分が短くなる。しかし、タイル載置部９２３は、タイル８１が載せられるため、大引４及び根太５の上面と面一である必要がある。そこで、大引用位置決め部（幕板本体固定部９２２の鉛直方向に延びる壁部の下端）と根太用位置決め部（幕板本体固定部９２２の下面）とにより、幕板受け材９２の大引４又は根太５との高さ方向の位置が位置決めされる。幕板受け材９２は、大引４の突出部４１に大引用位置決め部を当接させて架台側固定部９２１を大引４に固定すると、タイル載置部９２３の上面が大引４の上面と面一になる。幕板本体固定部９２２の下面を根太５の係止部５４に当接させて架台側固定部９２１を根太５に固定すると、タイル載置部９２３の上面が根太５の上面と面一になる。この構成により、大引４及び根太５に取り付ける幕板を共通部品にすることができる。
溝部９１２の底部の裏面を幕板本体固定部９２２の壁部に当接させることにより、幕板本体９１は、大引４及び根太５に対して位置決めできる。
【００３３】
本発明の一実施形態に係る脱落防止材について、図４を用いて詳細に説明する。図４は、図３の脱落防止パネル付近を示す拡大図である。本実施形態においては、脱落防止パネル７は、矩形形状の脱落防止パネルで構成されるとともに、タイル８１ごとに敷設される。脱落防止パネル７の材質は限定されないが、例えばポリカーボネイト等の樹脂が挙げられる。
【００３４】
脱落防止パネル７は、タイル８１よりも小さい矩形形状に形成されている。脱落防止パネル７は互いに平行な二辺を大引４に平行に、他の二辺を根太５（補助根太６）に平行に向けて、大引４と根太５とによって形成される空間を覆うように配置される。
【００３５】
ここで、脱落防止パネル７の大引４に平行に向けられる二辺の長さは、隣り合う根太５同士の間隔よりも長いため、飲み込部５３に対して、脱落防止パネル７の根太５に平行に向けられる二辺の縁部が突出する。飲み込部５３には、脱落防止パネル７の二辺の縁部が挿入され、ねじ止めされて固定される。前述のとおり、頂部５２と、飲み込部５３とによる段の高さは、脱落防止パネル７の厚さ方向の高さと、脱落防止パネル７を飲み込部５３に固定するねじ頭の高さとを合わせた高さよりも高くなるように形成されている。そのため、飲み込部５３に脱落防止パネル７をねじ止めしても、ねじ頭はタイル８１等の床部８と接しない。そのため、ねじ頭が飲み込部５３と床部８との間に干渉することなく、根太５は床部８を安定して支持できる。
【００３６】
一方で、脱落防止パネル７の根太５（補助根太６）に平行に向けられる二辺の長さは、脱落防止パネル７の熱膨張を考慮しても、隣り合う大引４同士の間隔よりも短くなるように形成される。そのため、脱落防止パネル７が熱膨張したとしても、大引４と床部８との間に干渉することなく、大引４は床部８を安定して支持できる。
【００３７】
また、補助根太６の頂部６２は、飲み込部５３よりも高い高さに配置されるので、補助根太６は、脱落防止パネル７を押し上げるように支える。そのため、脱落防止パネル７は、補助根太６により上方に押圧された状態で、根太５の飲み込部５３にねじ止めされて固定される。前述のとおり、補助根太６は、頂部６２が根太５の頂部５２の高さよりも、脱落防止パネル７の厚さだけ低い位置に配置されるように大引４に架設される。そのため、大引４と、根太５と、脱落防止パネル７を介して補助根太６とによって安定してタイル８１を支持することができる。
【００３８】
次に、床構造体１の施工方法の一例について図５を用いて説明する。図５は、本実施形態に係る床構造体１の施工方法の一例を示すフローチャートである。
図５に示すように、第１実施形態に係る床構造体１の施工方法は、ステップＳ１〜ステップＳ６を含む。
【００３９】
ステップＳ１は、地面に基台２を配設する工程である。本実施形態においては、基台２を床構造体１の隅部（入隅部及び出隅部）に配設する。隣り合う隅部間の長さが長い場合は、その隅部同士の中間部にも基台２を配設する。地面に基台２を設ける際、複数の基台２同士の高さレベルを揃える調整が行われる。なお、ステップＳ１の前工程として、例えば、各部材の搬入、砂利取り、雨水升移設、砂利戻し、墨出し、地固め等が行われてもよい。
【００４０】
ステップＳ２は、基台２に複数の束柱３を立設する工程である。本実施形態においては、床部８に段部８０が形成されるので、段部８０の下に位置する束柱３の長さは、他の束柱３よりも相対的に短くなるに、束柱３は基台２上に配置される。基台２に対して束柱３を立設し、束柱３の固定金具を介して基台２に束柱３をねじ止めして固定する。
【００４１】
ステップＳ３は、複数の束柱３に複数の大引４を架設する工程である。本実施形態においては、大引４を、建物１００の壁面に対して長手方向が垂直に延びるように配置し、束柱３の上方から大引４の一対の係止部４２、４２を束柱３に外嵌させて、各束柱３に架設する。係止部４２と束柱３とをねじ止めすることで、大引４を束柱３に固定する。このとき、束柱３の側面と大引４の側面（突出部４１よりも上側の側面）とは同一鉛直面上に配置される。
【００４２】
ステップＳ４は、複数の大引４に複数の根太５を架設する工程である。本実施形態においては、大引４に根太５と補助根太６とを交互に等間隔で架設する。根太５を、建物１００の壁面に対して長手方向が平行に延びるように配置し、大引４の突出部４１（又は根太受け３１）に根太５の長手方向の両端部を載置する。根太５の固定部５１と突出部４１の上面（又は根太受け３１）とをねじ９２で固定する。このとき、大引４の長手方向の端部に設けられる根太５の側面と、束柱３の側面と、大引４の長手方向の端部とは同一鉛直面上に配置される。
【００４３】
根太５と同様に、大引４に補助根太６を架設する。ここで、補助根太６は、頂部６２が根太５の頂部５２の高さよりも、脱落防止パネル７の厚さの分だけ低くなる位置に配置される。
【００４４】
ステップＳ２〜Ｓ４の工程において、床構造体１の側面に幕板部９を設ける場合には、束柱３、大引４、根太５等に幕板受け材９２が取り付けられる。また、束柱３、大引４、根太５等を筋交いで補強してもよい。
【００４５】
ステップＳ５は、根太５に脱落防止パネル７を固定する工程である。本実施形態においては、１枚のタイル８１につき１枚の脱落防止パネル７が固定される。脱落防止パネル７は、パネルの面の中央部が補助根太６に接し、大引４と根太５とによって形成される空間を覆うように配置される。具体的には、飲み込部５３に対して、脱落防止パネル７の縁部が突出するように配置される。また、脱落防止パネル７は、大引４と接しないように配置される。
【００４６】
脱落防止パネル７の縁部は、根太５の飲み込部５３にねじ止めして固定される。飲み込部５３よりも補助根太６の頂部６２は高い高さに配置されるので、補助根太６は、脱落防止パネル７を押し上げるように支える。そして、脱落防止パネル７の中央部は、補助根太６により上方に押圧された状態で根太５の飲み込部５３にねじ止めされて固定される。
なお、補助根太６の頂部６２と脱落防止パネル７の中央部とは接着剤等によって接着されてもよい。
【００４７】
ステップＳ６は、根太５の上に複数のタイル８１を敷設する工程である。本実施形態においては、複数のタイル８１を脱落防止パネル７の上（大引４及び根太５の上）に敷設する前に、大引４の上面と、根太５の頂部５２と、脱落防止パネル７の中央部（補助根太６により上方に押圧された部分）とに接着剤を塗布する。タイル８１の縁部が、大引４及び根太５の上に乗るようにタイル８１を敷設する。また、タイル８１の中央部は、脱落防止パネル７を介して、補助根太６によって支持される。このように、脱落防止パネル７の上にタイル８１が敷設される。言い換えれば、タイル８１の下に脱落防止パネル７が固定される。
【００４８】
ここで、前述したように、脱落防止パネル７の厚さ、及び脱落防止パネル７を飲み込部５３に固定するねじ頭の高さだけ頂部５２が飲み込部５３よりも高くなるように、頂部５２と飲み込部５３とは段状に形成される。そのため、脱落防止パネル７を飲み込部５３にねじ止めしても、ねじ頭が床部８（タイル８１）と干渉することがなく、大引４と、根太５とによりタイル８１を支持できる。更に、補助根太６は、頂部６２が根太５の頂部５２の高さよりも、脱落防止パネル７の厚さの分だけ低くなる位置に配置される。そのため、大引４と、根太５と、脱落防止パネル７を介して補助根太６とによって安定してタイル８１を支持することができる。
【００４９】
なお、ステップＳ５及びステップＳ６について、ステップＳ５を全て完了してからステップＳ６を行ってもよい。この場合、全ての脱落防止パネル７が飲み込部５３に固定されてから、タイル８１が敷設される。
また、タイル８１ごとにステップＳ５とステップＳ６とを繰り返し行ってもよい。この場合、１つの脱落防止パネル７が固定される度に、タイル８１が敷設される。
【００５０】
タイル８１を敷設し、タイル８１の間に目地８２を入れることで床部８が構成される。その後、タイル８１と建物１００との間の位置に見切材８３が配置されてもよい。また、床構造体１の側面に幕板部９を設ける場合には、幕板受け材９２に幕板本体９１が取り付けられ、幕板本体９１の溝部９１２に、蓋９３が取り付けられる。照明収容溝９１４には小型照明が適宜に取り付けられる。
以上により床構造体１の施工は終了する。
【００５１】
以上説明したように、本実施形態における床構造体１は、地面に配設された基台２と、基台２に立設された複数の束柱３と、複数の束柱３に架設された複数の大引４と、複数の大引４に架設された複数の根太５と、大引４及び根太５の上に敷設された複数のタイル８１と、タイル８１の下に敷設された脱落防止パネル７と、を備える。タイル８１の下に脱落防止パネル７が固定されるので、タイルや人が地面に落下することを防止できる。
【００５２】
また、根太５は、その上端側に形成され脱落防止パネル７の縁部が挿入される凹状の飲み込部を有し、脱落防止パネル７は、飲み込部５３に挿入されて固定される。そのため、脱落防止パネル７をタイル８１に近い位置に固定できる。これにより、タイルや人が地面に落下することをより確実に防止できる。
【００５３】
また、床構造体１は、根太５同士の間に配置され、複数の大引４に架設された複数の補助根太６を更に備え、脱落防止パネル７は、補助根太６により上方に押圧された状態で、根太５にねじ止めされて固定される。ねじ止めにより、脱落防止パネル７は、飲み込部に強固に固定される。また、補助根太６が脱落防止パネル７を押し上げることにより、タイルを脱落防止パネル７によって安定して支えることができる。これにより、タイル８１を安定して支持しつつ、タイルや人が地面に落下することをより確実に防止できる。
【００５４】
また、床構造体１は、脱落防止パネル７はパネル型の構造であり、タイル８１ごとに、脱落防止パネル７が敷設される。そのため、例えばタイル８１ごとにステップＳ５とステップＳ６とを繰り返し行うことにより、床構造体１を施工できる。これにより、施工方法の選択肢が増え、効率よく床構造体１を施工できる。
【００５５】
また、床構造体１の施工方法は、地面に基台２を配設する工程と、基台２に複数の束柱３を立設する工程と、複数の束柱３に複数の大引４を架設する工程と、複数の大引４に複数の根太５を架設する工程と、根太５に脱落防止パネル７を固定する工程と、根太５の上に複数のタイル８１を敷設する工程と、を備える。これにより、タイルや人が地面に落下することを防止できる床構造体１を施工できる。
【００５６】
以上、本発明の床構造体１の好ましい一実施形態について説明したが、本発明は、上述した実施形態に制限されるものではなく、適宜変更が可能である。
【００５７】
例えば、脱落防止材としての脱落防止パネル７は、パネル型の構造である例を説明したが、これに限定されない。脱落防止材は、例えばネット型の構造であってもよい。
【００５８】
また、脱落防止パネル７が飲み込部５３にねじ止めされる例を説明したが、これに限定されない。脱落防止パネル７は、タイル８１に接着されていてもよい。このような脱落防止パネル７及びタイル８１を用いて床構造体１を施工する場合、脱落防止パネル７及びタイル８１は一体的に施工される。
【符号の説明】
【００５９】
１  床構造体
２  基台
３  束柱（柱）
４  大引
５  根太
７  脱落防止パネル（脱落防止材）
８１  タイル
【図１】
2018112031.tif 000003
【図２】
2018112031.tif 000004
【図３】
2018112031.tif 000005
【図４】
2018112031.tif 000006
【図５】
2018112031.tif 000007